(57)【特許請求の範囲】
【請求項１】
複数の基本周波数ブロックで構成されるシステム帯域を用いて無線基地局装置と移動端末装置が無線通信を行う無線通信システムであって、
前記無線基地局装置は、複数の基本周波数ブロックにおいてそれぞれ下りリンク共有チャネル信号を送信し、
前記移動端末装置は、前記複数の基本周波数ブロックにおける下りリンク共有チャネル信号の受信に対する再送応答信号を、マッピングテーブルに基づいて、特定の基本周波数ブロックの上りリンク制御チャネルにマッピングして送信し、
前記マッピングテーブルは、位相偏移変調によるビット情報と、前記上りリンク制御チャネルの複数の割り当てリソースの選択情報とで規定され、前記複数の基本周波数ブロックがそれぞれ１コードワード伝送である第１の基本周波数ブロック及び第２の基本周波数ブロックで構成される場合に前記割り当てリソース数が２に規定され、さらに、前記第１の基本周波数ブロックの再送応答信号であるＡＣＫ、ＮＡＣＫ、ＤＴＸが個別に規定される一方、前記第２の基本周波数ブロックの再送応答信号であるＤＴＸが個別に規定されないことを特徴とする無線通信システム。
【発明の詳細な説明】
【技術分野】
【０００１】
本発明は、次世代移動通信システムにおける無線通信システムに関する。
【背景技術】
【０００２】
ＵＭＴＳ（Universal  Mobile  Telecommunications  System）ネットワークにおいては、周波数利用効率及びピークデータレートの向上などを目的として、ＨＳＤＰＡ（High  Speed  Downlink  Packet  Access）やＨＳＵＰＡ（High  Speed  Uplink  Packet  Access）を採用することにより、Ｗ−ＣＤＭＡ（Wideband  Code  Division  Multiple  Access）をベースとしたシステムの特徴を最大限に引き出すことが行われている。このＵＭＴＳネットワークについては、更なる周波数利用効率及びピークデータレートの向上、遅延の低減などを目的としてロングタームエボリューション（ＬＴＥ:Long  Term  Evolution）が検討されている（非特許文献１）。ＬＴＥではＷ−ＣＤＭＡとは異なり、マルチアクセス方式として、下り回線（下りリンク）にＯＦＤＭＡ（Orthogonal  Frequency  Division  Multiple  Access）をベースとした方式を用い、上り回線（上りリンク）にＳＣ−ＦＤＭＡ（Single  Carrier  Frequency  Division  Multiple  Access）をベースとした方式を用いている。
【０００３】
上りリンクで送信される信号は、図１に示すように、適切な無線リソースにマッピングされて移動端末装置から無線基地局装置に送信される。この場合において、ユーザデータ（ＵＥ（User  Equipment）＃１，ＵＥ＃２）は、上りリンク共有チャネル（ＰＵＳＣＨ：Physical  Uplink  Shared  Channel）に割り当てられる。また、制御情報は、ユーザデータと同時に送信する場合はＰＵＳＣＨと時間多重され、制御情報のみを送信する場合は、上りリンク制御チャネル（ＰＵＣＣＨ：Physical  Uplink  Control  Channel）に割り当てられる。この上りリンクで送信される制御情報には、下りリンクの品質情報（ＣＱＩ:Channel  Quality  Indicator）や下りリンク共有チャネル（ＰＤＳＣＨ：：Physical  Downlink  Shared  Channel））の信号に対する再送応答信号（ＡＣＫ／ＮＡＣＫ）などが含まれる。
【０００４】
ＰＵＣＣＨにおいては、典型的にはＣＱＩとＡＣＫ／ＮＡＣＫを送信する場合で異なるサブフレーム構成が採られている（図２（Ａ）、（Ｂ）参照）。ＰＵＣＣＨのサブフレーム構成は、１スロット（１／２サブフレーム）に７つのＳＣ−ＦＤＭＡシンボルを含む。また、１ＳＣ−ＦＤＭＡシンボルは、１２個の情報シンボル（サブキャリア）を含む。具体的に、ＣＱＩのサブフレーム構成（ＣＱＩフォーマット）では、図２（Ａ）に示すように、スロット内の第２シンボル（＃２）、第６シンボル（＃６）に参照信号（ＲＳ：Reference  Signal）が多重され、他のシンボル（第１シンボル（＃１）、第３シンボル（＃３）〜第５シンボル（＃５）、第７シンボル（＃７））に制御情報（ＣＱＩ）が多重される。また、ＡＣＫ／ＮＡＣＫのサブフレーム構成（ＡＣＫ／ＮＡＣＫフォーマット）では、図２（Ｂ）に示すように、スロット内の第３シンボル（＃３）〜第５シンボル（＃５）に参照信号が多重され、他のシンボル（第１シンボル（＃１）、第２シンボル（＃２）、第６シンボル（＃６）、第７シンボル（＃７））に制御情報（ＡＣＫ／ＮＡＣＫ）が多重される。１サブフレームにおいては、前記スロットが２回繰り返されている。また、図１に示すように、ＰＵＣＣＨはシステム帯域の両端の無線リソースに多重され、１サブフレーム内の異なる周波数帯域を有する２スロット間で周波数ホッピング(Inter-slot  FH)が適用される。
【先行技術文献】
【非特許文献】
【０００５】
【非特許文献１】3GPP,  TR25.912  (V7.1.0),  "Feasibility  study  for  Evolved  UTRA  and  UTRAN",  Sept.  2006
【発明の概要】
【発明が解決しようとする課題】
【０００６】
第３世代のシステム（Ｗ−ＣＭＤＡ）は、概して５ＭＨｚの固定帯域を用いて、下り回線で最大２Ｍｂｐｓ程度の伝送レートを実現できる。一方、ＬＴＥのシステムでは、１．４ＭＨｚ〜２０ＭＨｚの可変帯域を用いて、下り回線で最大３００Ｍｂｐｓ及び上り回線で７５Ｍｂｐｓ程度の伝送レートを実現できる。また、ＵＭＴＳネットワークにおいては、更なる周波数利用効率及びピークデータレートの向上などを目的として、ＬＴＥの後継のシステムも検討されている（例えば、「ＬＴＥアドバンスト」又は「ＬＴＥエンハンスメント」と呼ぶこともある（以下、「ＬＴＥ−Ａ」という））。
【０００７】
ＬＴＥ−Ａシステムでは、更なる周波数利用効率及びピークスループットなどの向上を目標とし、ＬＴＥよりも広帯域な周波数の割当てが検討されている。また、ＬＴＥ−Ａ（例えば、Ｒｅｌ．１０）では、ＬＴＥとの後方互換性（Backward  compatibility）を持つことが一つの要求条件となっており、ＬＴＥが使用可能な帯域幅を有する基本周波数ブロック（コンポーネントキャリア(ＣＣ:Component  carrier）)を複数有する送信帯域の構成を採用している。このため、複数の下りＣＣで送信したデータチャネルに対するフィードバック制御情報は、単純にはＣＣ数倍に増大することとなる。また、これらに加えて、マルチセル協調送受信技術やＬＴＥよりも多い送受信アンテナを用いたＭＩＭＯ（Multiple  Input  Multiple  Output）技術などのＬＴＥ−Ａ特有の技術が検討されており、これらを制御するためのフィードバック制御情報の増大も考えられる。このため、フィードバック制御情報の情報量が多くなるので、上りリンクチャネルでのフィードバック制御情報の送信方法の検討が必要である。
【０００８】
本発明はかかる点に鑑みてなされたものであり、複数の基本周波数ブロックで構成されるシステム帯域を有する通信システムにおいて、上りリンク制御チャネルでフィードバック制御情報を効率的に伝送することができる無線通信システムを提供することを目的の一とする。
【課題を解決するための手段】
【０００９】
本発明の無線通信システムは、複数の基本周波数ブロックで構成されるシステム帯域を用いて無線基地局装置と移動端末装置が無線通信を行う無線通信システムであって、前記無線基地局装置は、複数の基本周波数ブロックにおいてそれぞれ下りリンク共有チャネル信号を送信し、前記移動端末装置は、前記複数の基本周波数ブロックにおける下りリンク共有チャネル信号の受信に対する再送応答信号を、マッピングテーブルに基づいて、特定の基本周波数ブロックの上りリンク制御チャネルにマッピングして送信し、前記マッピングテーブルは、位相偏移変調によるビット情報と、前記上りリンク制御チャネルの複数の割り当てリソースの選択情報とで規定され、前記複数の基本周波数ブロックがそれぞれ１コードワード伝送である第１の基本周波数ブロック及び第２の基本周波数ブロックで構成される場合に前記割り当てリソース数が２に規定され、さらに、前記第１の基本周波数ブロックの再送応答信号であるＡＣＫ、ＮＡＣＫ、ＤＴＸが個別に規定される一方、前記第２の基本周波数ブロックの再送応答信号であるＤＴＸが個別に規定されないことを特徴とする。
【００１０】
この構成によれば、位相偏移変調によるビット情報に加えてチャネル選択情報で規定する追加情報を伝送することができるため、上りリンク制御チャネルで複数の基本周波数ブロックのフィードバック制御情報を既存のＰＵＣＣＨ構成を用いつつ効率的に伝送することができる。
【発明の効果】
【００１１】
本発明によれば、上りリンク制御チャネルでフィードバック制御情報を効率的に伝送することができる。
【図面の簡単な説明】
【００１２】
【図１】上りリンクの信号をマッピングするチャネル構成を説明するための図である。
【図２】物理上り制御チャネルフォーマットを示す図である。
【図３】複数の基本周波数ブロックの再送応答信号の状態を特定の基本周波数ブロックの上りリンク制御チャネルを用いて送信する方法の一例を示す図である。
【図４】ＬＴＥ（Ｒｅｌ．８）のＦｏｒｍａｔ  １ａ／１ｂで規定された再送応答信号のマッピングテーブルを示す図である。
【図５】本実施の形態に係る再送応答信号の送信に適用するマッピングテーブルの一例を示す図である。
【図６】本実施の形態に係る再送応答信号の送信に適用するマッピングテーブルの一例を示す図である。
【図７】本実施の形態に係る再送応答信号の送信に適用するマッピングテーブルの一例を示す図である。
【図８】本実施の形態に係る再送応答信号の送信に適用するマッピングテーブルの一例を示す図である。
【図９】本実施の形態に係る移動端末装置及び無線基地局装置を有する移動通信システムの構成を説明するための図である。
【図１０】本発明の実施の形態に係る移動端末装置の概略構成を示す図である。
【図１１】本発明の実施の形態に係る無線基地局装置の概略構成を示す図である。
【図１２】本実施の形態に係る再送応答信号の送信に適用するマッピングテーブルの一例を示す図である。
【図１３】本実施の形態に係る再送応答信号の送信に適用するマッピングテーブルの一例を示す図である。
【図１４】本実施の形態に係る再送応答信号の送信に適用するマッピングテーブルの一例を示す図である。
【発明を実施するための形態】
【００１３】
上述したように、下りＣＣの下りリンク共有チャネル（ＰＤＳＣＨ）の信号に対しては、そのフィードバック制御情報である再送応答信号（ＡＣＫ／ＮＡＣＫ）が上りリンク制御チャネル（ＰＵＣＣＨ）で送信される。再送応答信号は、送信信号が適切に受信されたことを示す肯定応答（ＡＣＫ:Acknowledgement）又はそれが適切に受信されなかったことを示す否定応答（ＮＡＣＫ：Negative  Acknowledgement）で表現される。
【００１４】
また、ＬＴＥ−Ａシステムでは、更なる周波数利用効率、ピークスループットなどの向上を目標とし、ＬＴＥよりも広帯域な周波数の割当てが検討されており、ＬＴＥが使用可能な帯域幅を有する基本周波数ブロック（ＣＣ)を複数有する送信帯域の構成を採用している。このため、複数の下りＣＣから送信されたＰＤＳＣＨに対するフィードバック制御情報である再送応答信号も複数の下りＣＣに対して送信することが考えられる。
【００１５】
この場合のフィードバック制御情報の送信方法としては、移動端末装置において、無線基地局装置から受信した複数のコンポーネントキャリア（ここでは、ＣＣ＃１、ＣＣ＃２）毎の信号に基づいて、各コンポーネントキャリアのフィードバック制御情報を生成し、同一サブフレームで送信されるＰＵＳＣＨ信号がない場合に、ユーザ特有（UE-specific）のコンポーネントキャリア（ここでは、ＣＣ＃１）の上りリンク制御チャネル（ＰＵＣＣＨ）にマッピングして送信することが考えられる（図３参照）。
【００１６】
また、上述したように、ＰＵＣＣＨで送信される受信チャネル品質情報（ＣＱＩ）及び再送応答信号（ＡＣＫ／ＮＡＣＫ）はともに、１２サブキャリア帯域で送信される。再送応答信号を送信する場合には、１スロット内の７ＳＣ−ＦＤＭＡシンボルのうち、３ＳＣ−ＦＤＭＡシンボルがＲＳに用いられる。１ＳＣ−ＦＤＭＡシンボル内では１２の巡回シフトによる直交ＣＤＭＡが規定されており、さらに、３ＳＣ−ＦＤＭＡシンボルにわたり、時間領域の直交符号の割り当てを併用することで、最大１２×３＝３６チャネルを多重（リソースに割り当て）できる。
【００１７】
ところで、ＬＴＥ（Ｒｅｌ．８）では、下りリンク共有チャネル(ＰＤＳＣＨ)の信号に対するＡＣＫ／ＮＡＣＫ（Ｆｏｒｍａｔ  １ａ／１ｂ)の通知が規定されており（図４参照）、以下の複数状態を通知可能となっている。
【００１８】
１コードワード伝送（ランク１）の場合は、「ＡＣＫ」、「ＮＡＣＫ」、「ＤＴＸ(Discontinuous  reception)」の３つの状態であり（図４（Ａ）参照）、２コードワード伝送（ランク２）の場合は「ＡＣＫ、ＡＣＫ」、「ＡＣＫ、ＮＡＣＫ」、「ＮＡＣＫ、ＡＣＫ」、「ＮＡＣＫ、ＮＡＣＫ」、「ＤＴＸ」の５つの状態である（図４（Ｂ）参照）。
【００１９】
コードワードは、チャネル符号化（誤り訂正符号化）の符号化単位を指しており、ＭＩＭＯ多重伝送適用時は１または複数コードワードの伝送を行う。ＬＴＥではシングルユーザＭＩＭＯでは最大２コードワードを用いる。２レイヤ送信の場合は、各レイヤが独立したコードワードとなり、４レイヤ送信の場合は２レイヤ毎に１コードワードとなる。
【００２０】
図４において、「ＡＣＫ」は送信成功、「ＮＡＣＫ」は誤りが検出されたこと、「ＤＴＸ」はデータが認識されなかったこと（応答なし）を意味する。ＤＴＸは、「ＡＣＫもＮＡＣＫも移動端末装置から通知されなかった」という判定結果であり、これは移動端末装置が下りリンク制御チャネル（ＰＤＣＣＨ：Physical  Downlink  Control  Channel）を受信できなかったことを意味する。この場合、移動端末装置は、自局宛にＰＤＳＣＨが送信されたことを検知しないため、結果としてＡＣＫもＮＡＣＫも送信しないことになる。一方、無線基地局装置は、ＡＣＫを受信すると次の新規データを送信するが、ＮＡＣＫや、応答がないＤＴＸ状態の場合は、送信したデータの再送信を行うように再送制御を行なう。なお、無線基地局装置は、上りリンクにおいてＡＣＫ／ＮＡＣＫに割当てたリソースでの受信電力が所定値以下である場合にＤＴＸであると判断することができる。
【００２１】
また、図４のマッピングテーブルにおいて、「０」は当該サブフレームで、移動端末装置が無線基地局装置に対して情報を送信しないことを示し、「１」、「−１」、「ｊ」、「−ｊ」はそれぞれ所定の位相状態（ビット情報）を表している。例えば、図４（Ａ）において、“１”、“−１”はそれぞれ「０」、「１」に相当し、１ビットの情報を表すことができる。また、図４（Ｂ）において、“１”、“−１”、“ｊ”、“−ｊ”は、それぞれ「００」、「１１」、「１０」、「０１」のデータに相当し、２ビットの情報を表すことができる。したがって、ＡＣＫ／ＮＡＣＫ（Ｆｏｒｍａｔ  １ａ／１ｂ）においては、最大２ビットまでの送信が可能となっている。
【００２２】
しかし、複数ＣＣを用いてＰＤＳＣＨ信号を受信した場合に、ユーザ端末ＵＥがＣＣ毎に上記３状態（１コードワード）又は５状態（２コードワード）を、特定のＣＣ（例えば、ＣＣ＃１）のＰＵＣＣＨで通知しようとすると、再送応答信号のビット数が大きくなる問題がある。
【００２３】
そこで、本発明者は、複数のＣＣの下りリンク共有チャネルの信号に対する再送応答信号を、特定のＣＣの上りリンク制御チャネルに集約して送信する場合に、当該上りリンク制御チャネルにおいて複数の割り当てリソース（チャネル）を選択し、複数のＣＣの再送応答信号の各状態を、位相偏移変調によるビット情報及び割り当てリソースの選択位置であるリソース選択情報で規定することを着想し、本願発明を完成させた。
【００２４】
以下、本発明の実施の形態について図面を参照して詳細に説明する。なお、本実施の形態においては、本発明をＬＴＥ−Ａに適用した例について説明するが、本発明はＬＴＥ−Ａに適用した場合に限定されるものではない。複数の基本周波数ブロックを一体として広帯域化するキャリアアグリゲーションにおいて、上りリンクで上り制御情報を送信する通信システムであれば、本発明をどのような通信システムに適用してもよい。
【００２５】
また、以下の説明において、下りＣＣの数が２つである場合について説明しているが、本発明はこれに限定されず、下りＣＣの数（又は上りＣＣの数）が２つ（又は１つ）より多い場合であっても適用することができる。また、割り当てリソース数が２個又は４個の場合について説明しているが、割り当てリソース数はこれに限られない。また、上りリンク制御チャネルにマッピングするフィードバック制御情報として、再送応答信号（ＡＣＫ／ＮＡＣＫ／ＤＴＸ）について説明するが、これに限られない。
【００２６】
図５は、第１の基本周波数ブロック（ＰＣＣ：Primary  Component  Carrier）及び第２の基本周波数ブロック（ＳＣＣ：Secondly  Component  Carrier）で構成されるシステム帯域において、ＰＣＣとＳＣＣの再送応答信号の状態を規定したマッピングテーブルを示している。移動端末装置は、マッピングテーブルに基づいて上りリンク制御チャネルに再送応答信号をマッピングし、無線通信装置に対して送信する。
【００２７】
図５（Ａ）は、ＰＣＣ及びＳＣＣに空間多重（spatial  multiplexing）の適用がない場合（ランク１）において、再送応答信号の送信に対する割り当てリソース数が２個の場合のマッピングテーブルの一例を示している。１ＣＣ当たり３状態（ＡＣＫ、ＮＡＣＫ、ＤＴＸ）が定められており、ＰＣＣとＳＣＣの状態の組み合わせとして９通り考えられる。
【００２８】
図５（Ａ）において、ＰＣＣの再送応答信号の３状態「ＡＣＫ」、「ＮＡＣＫ」、「ＤＴＸ」は、位相偏移変調（ここでは、ＱＰＳＫデータ変調）によるビット情報で規定され、ＳＣＣの再送応答信号の３状態「ＡＣＫ」、「ＮＡＣＫ」、「ＤＴＸ」は、割り当てられた２個のリソース（Ｃｈ１、Ｃｈ２）のうち、いずれのリソースを選択したかというリソース選択情報（「チャネルセレクション（Channel  selection））情報」ともいう）により規定されている。割り当てリソース数が２個である場合には、リソース選択情報で１ビットの情報を追加することができるため、ＱＰＳＫデータ変調によるビット情報と組み合わせると３ビットの情報をサポートすることが可能となる。
【００２９】
例えば、１コードワード伝送の場合に、ＰＣＣの再送応答信号の３状態「ＤＴＸ」、「ＮＡＣＫ」、「ＡＣＫ」に対して、それぞれ個別にＱＰＳＫデータ変調によるビット情報を割り当てて通知を行う場合には、「ＤＴＸ」に“ｊ（１０）”、「ＮＡＣＫ」に“１（００）”、「ＡＣＫ」に“−１（１１）”の情報ビットを割り当てることができる。この場合、ＰＣＣの「ＤＴＸ」について単独で情報ビットを割り当てることができるため、無線基地局装置に対して「ＤＴＸ」状態であることを個別に通知（Explicit  DTX  signaling）することができる。
【００３０】
なお、ＰＣＣとＳＣＣの双方が「ＤＴＸ」である場合には、全ての割り当てリソースを“０”として、当該サブフレームにおいて送信を行わない。
【００３１】
また、ＳＣＣの再送応答信号の状態に対しては、１ビットのリソース選択情報で規定する。ここでは、リソース選択情報により「ＤＴＸ」又は「ＮＡＣＫ」の状態と、「ＡＣＫ」の２状態が定められており、個別に通知可能な状態数が低減されている。具体的には、割り当てリソースのうち、Ｃｈ１を選択した場合（Ｃｈ１にビット情報をマッピングして送信する場合）には、ＳＣＣの状態が「ＤＴＸ」又は「ＮＡＣＫ」のいずれかの状態であることを表し、Ｃｈ２を選択した場合（Ｃｈ２にビット情報をマッピングして送信する場合）には、「ＡＣＫ」の状態であることを表している。つまり、ＳＣＣの状態に対しては、３状態に対してそれぞれ個別に定めるのでなく、「ＡＣＫ」の状態を区別できるようにリソース選択情報を定め、「ＤＴＸ」と「ＮＡＣＫ」の状態をまとめて定めることによりビット数を節約している。
【００３２】
再送応答信号が「ＤＴＸ」又は「ＮＡＣＫ」である場合には、いずれも無線基地局装置は送信したデータの再送信を行うように再送制御を行なうため、ＤＴＸとＮＡＣＫの区別ができなくても影響は小さい。一方で、再送応答信号が「ＡＣＫ」である場合には、無線基地局装置が次の新規データを送信するため、ＡＫＣの状態を優先的に区別できるように規定することが好ましい。したがって、図５（Ａ）に示すように、割り当てリソース数が２個である（リソース選択で１ビットの情報を追加する）場合には、ＳＣＣにおいて「ＡＣＫ」状態を優先的に区別できるように定めることが好ましい。
【００３３】
このように、２個の割り当てリソースに対して、位相偏移変調によるビット情報で規定すると共にリソース選択情報で規定することにより、３ビットの情報をサポートすることができる。また、２個の割り当てリソースの双方にそれぞれビット情報を割り当てる場合と比較して、一方のリソースにのみビット情報を割り当てることにより、シングルキャリア特性を保持できるという効果を奏することができる。
【００３４】
また、２つのＣＣのうち、移動端末装置が優先的に使用（複数のＣＣの再送応答信号を集約）するＣＣ（UE-specific  ＣＣ）を設定する場合には、当該優先させるＣＣ（ここでは、ＰＣＣ）に対して、ＱＰＳＫデータ変調によるビット情報で規定し、他のＣＣ（ここでは、ＳＣＣ）に対して、リソース選択情報により規定することが好ましい。これにより、ＰＣＣの再送応答信号の状態に対して多くのビット数をサポートすることができるため、ＰＣＣの再送応答信号の状態を詳細に規定して通知する構成とすることができる。例えば、図５（Ａ）で示すマッピングテーブルにおいては、ＰＣＣについて「ＤＴＸ」状態であることを個別に通知（Explicit  DTX  signaling）できるようにサポートすることができる。
【００３５】
図５（Ｂ）は、ＰＣＣ及びＳＣＣに空間多重（spatial  multiplexing）が適用される場合（ランク２）において、再送応答信号の送信に対する割り当てリソース数が２個の場合のマッピングテーブルの一例を示している。
【００３６】
図５（Ｂ）においても、ＰＣＣの状態を位相偏移変調（ここでは、ＱＰＳＫデータ変調）によるビット情報で規定し、ＳＣＣの状態をリソース選択情報により規定している。
【００３７】
２コードワード伝送の場合には、ＰＣＣの各レイヤの状態について、「ＤＴＸ」には単独で情報ビットを割り当てないようにして、４状態「ＡＣＫ、ＡＣＫ」、「ＡＣＫ、ＮＡＣＫ」、「ＮＡＣＫ、ＡＣＫ」、「ＮＡＣＫ、ＮＡＣＫ／ＤＴＸ」に対して、個別にビット情報を割り当てて通知を行うことが好ましい。
【００３８】
具体的には、レイヤ１、レイヤ２が、「ＡＣＫ、ＡＣＫ」には“−１”、「ＡＣＫ、ＮＡＣＫ」には“ｊ”、「ＮＡＣＫ、ＡＣＫ」には“−ｊ”、「ＮＡＣＫ、ＮＡＣＫ」又は「ＤＴＸ」には“１”のビット情報が定められている。すなわち、２コードワードの場合、ＰＣＣの「ＮＡＣＫ、ＮＡＣＫ」又は「ＤＴＸ」の状態に対しては、１つの情報ビット“１”が割り当てられており個別に通知可能な状態数が低減されている。このように、２コードワード伝送の場合は、ＰＣＣのＤＴＸには単独で情報ビットを割り当てないように規定することが好ましい。つまり、図５に示すマッピングテーブルにおいては、ＰＣＣのＤＴＸは１コードワードの場合だけ単独で符号化して通知するが、２コードワードの場合にはＤＴＸ単独の通知を行わない構成となっている。
【００３９】
また、ＳＣＣの各レイヤの状態について、２コードワード伝送の場合には、１ビットのリソース選択情報で「ＤＴＸ」、「ＮＡＣＫ、ＮＡＣＫ」、「ＮＡＣＫ、ＡＣＫ」又は「ＡＣＫ、ＮＡＣＫ」の状態と、「ＡＣＫ、ＡＣＫ」の２状態を定めることが好ましい。この場合、ＤＴＸ又はＮＡＣＫが含まれる場合には単独で規定せず個別に通知可能な状態数を低減し、「ＡＣＫ、ＡＣＫ」を優先的に区別できるように規定する。具体的には、２個の割り当てリソースのうち、Ｃｈ１を選択した場合には、ＳＣＣの状態が「ＤＴＸ」、「ＮＡＣＫ、ＮＡＣＫ」、「ＮＡＣＫ、ＡＣＫ」又は「ＡＣＫ、ＮＡＣＫ」のいずれかの状態であることを表し、Ｃｈ２を選択した場合には、「ＡＣＫ、ＡＣＫ」の状態であることを表している。つまり、ＳＣＣの状態に対しては、空間バンドリングを適用して、２コードワード伝送時には２レイヤ共にＡＣＫだった場合だけＡＣＫを返し、それ以外の場合はＮＡＣＫを返すように各状態を定めることができる。
【００４０】
また、２コードワード伝送の場合においても、優先的に使用するＰＣＣの再送応答信号の状態をＱＰＳＫデータ変調によるビット情報で規定し、ＳＣＣの再送応答信号の状態をリソース選択情報により規定するとともに、「ＡＣＫ、ＡＣＫ」を区別できるようにビット情報及びリソース選択情報を定めることにより、ビット数の節約を図るとともにフィードバック制御情報を効率的に伝送することができる。
【００４１】
次に、割り当てリソース数が４個の場合のマッピングテーブルの一例を図６に示す。
【００４２】
図６（Ａ）は、ＰＣＣ及びＳＣＣに空間多重の適用がない場合（ランク１）、図６（Ｂ）はＰＣＣ及びＳＣＣに空間多重の適用がある場合（ランク２）のマッピングテーブルの一例を示している。
【００４３】
図６（Ａ）、（Ｂ）では、ＰＣＣの再送応答信号の状態「ＡＣＫ」、「ＮＡＣＫ」、「ＤＴＸ」を位相偏移変調（ここでは、ＱＰＳＫデータ変調）によるビット情報で規定し、ＳＣＣの再送応答信号の状態「ＡＣＫ」、「ＮＡＣＫ」、「ＤＴＸ」を割り当てられた４個のリソース（Ｃｈ１〜Ｃｈ４）の中で、どのリソースを選択したかというリソース選択情報で規定している。割り当てリソース数が４個である場合には、リソース選択情報で２ビットの情報を追加することができるため、ＱＰＳＫデータ変調によるビット情報と組み合わせると４ビットの情報をサポートすることが可能となる。
【００４４】
１コードワード伝送の場合（図６（Ａ）参照）には、ＰＣＣの３状態「ＤＴＸ」、「ＮＡＣＫ」、「ＡＣＫ」に対して、それぞれ個別にＱＰＳＫデータ変調によるビット情報を割り当てて通知を行う。例えば、「ＤＴＸ」には“ｊ（１０）”、「ＮＡＣＫ」には“１（００）”、「ＡＣＫ」には“−１（１１）”の情報ビットを割り当てることができる。この場合、「ＤＴＸ」について単独で情報ビットを割り当てることができるため、無線基地局装置に対して「ＤＴＸ」状態であることの通知（Explicit  DTX  signaling）が可能となっている。
【００４５】
また、ＳＣＣの状態に対しても、２ビットのリソース選択情報で「ＤＴＸ」、「ＮＡＣＫ」、「ＡＣＫ」の状態を定めることができるため、「ＤＴＸ」、「ＮＡＣＫ」、「ＡＣＫ」に対して、それぞれ個別にリソース選択情報を割り当てて通知を行うことができる。例えば、割り当てリソース（Ｃｈ１〜Ｃｈ４）のうち、Ｃｈ１を選択した場合にはＳＣＣの状態が「ＤＴＸ」の状態であり、Ｃｈ２を選択した場合にはＳＣＣの状態が「ＮＡＣＫ」の状態であり、Ｃｈ３を選択した場合には「ＡＣＫ」の状態であることを定めることができる。この場合、ＳＣＣの「ＤＴＸ」についても単独で情報ビットを割り当てることができる。なお、１コードワード伝送の場合（図６（Ａ）参照）には、Ｃｈ４は必ずしも必要とならない。
【００４６】
２コードワード伝送の場合（図６（Ｂ）参照）には、ＰＣＣの各レイヤの状態について、「ＤＴＸ」には単独で情報ビットを割り当てないようにして、４状態「ＡＣＫ、ＡＣＫ」／「ＡＣＫ、ＮＡＣＫ」／「ＮＡＣＫ、ＡＣＫ」／「ＮＡＣＫ、ＮＡＣＫ／ＤＴＸ」に対して、個別にビット情報を割り当てて通知を行うことが好ましい。
【００４７】
具体的には、ＰＣＣのレイヤ１、レイヤ２が、「ＡＣＫ、ＡＣＫ」には“−１”、「ＡＣＫ、ＮＡＣＫ」には“ｊ”、「ＮＡＣＫ、ＡＣＫ」には“−ｊ”、「ＮＡＣＫ、ＮＡＣＫ」又は「ＤＴＸ」には“１”のビット情報が定められている。すなわち、２コードワードの場合、「ＮＡＣＫ、ＮＡＣＫ」又は「ＤＴＸ」の状態に対しては、１つの情報ビット“１”を割り当てることにより、個別に通知可能な状態数を低減してビット数の節約を図っている。
【００４８】
また、割り当てリソース数が４個の場合にはＳＣＣの各レイヤの状態についても、２ビットのリソース選択情報でサポートすることができる。そのため、ＰＣＣと同様にＳＣＣの各レイヤの状態について、「ＤＴＸ」には単独で情報ビットを割り当てないようにして、４状態「ＡＣＫ、ＡＣＫ」／「ＡＣＫ、ＮＡＣＫ」／「ＮＡＣＫ、ＡＣＫ」／「ＮＡＣＫ、ＮＡＣＫ／ＤＴＸ」に対して、個別にリソース選択情報を割り当てて通知を行う構成とすることができる。
【００４９】
具体的には、２個の割り当てリソースのうち、Ｃｈ１を選択した場合にはＳＣＣの状態が「ＤＴＸ」又は「ＮＡＣＫ、ＮＡＣＫ」のいずれかの状態であることを表し、Ｃｈ２を選択した場合には「ＮＡＣＫ、ＡＣＫ」の状態であることを表し、Ｃｈ３を選択した場合には「ＡＣＫ、ＮＡＣＫ」の状態であることを表し、Ｃｈ４を選択した場合には「ＡＣＫ、ＡＣＫ」の状態であることを表している。つまり、ＳＣＣの状態に対しては、少なくとも各レイヤのいずれかが「ＡＣＫ」状態である場合に区別できるように、リソース選択情報を定め、「ＤＴＸ」、「ＮＡＣＫ、ＮＡＣＫ」の状態をまとめて定めビット数の節約を図ることができる。
【００５０】
次に、上述したマッピングテーブルと異なるマッピングテーブルについて図７、図８を参照して説明する。図７、図８では、ＳＣＣがＤＴＸの場合にＰＣＣがＬＴＥ（Ｒｅｌ．８）のＡＣＫ／ＮＡＣＫ（Ｆｏｒｍａｔ  １ａ／１ｂ）のマッピングテーブルと等価となるように規定している。また、ＰＣＣ又はＳＣＣについて、無線基地局装置に対して「ＤＴＸ」状態であることが個別に通知（Explicit  DTX  signaling）可能となるように、ＰＣＣの状態及びＳＣＣの状態について、それぞれＱＰＳＫデータ変調によるビット情報及びリソース選択情報を組み合わせて規定している。
【００５１】
図７は割り当てリソース数が２個の場合のマッピングテーブルの一例を示しており、図７（Ａ）は、ＰＣＣに空間多重の適用がない場合（ランク１）、図７（Ｂ）はＰＣＣに空間多重の適用がある場合（ランク２）を示している。また、図７（Ａ）、（Ｂ）においては、ＳＣＣの状態について、ランク１とランク２の場合が示されている。
【００５２】
ＰＣＣが１コードワード伝送の場合（図７（Ａ）参照）には、ＰＣＣの再送応答信号の３状態「ＤＴＸ」、「ＮＡＣＫ」、「ＡＣＫ」について、ＳＣＣの再送応答信号の状態との関係を考慮して、それぞれＱＰＳＫデータ変調によるビット情報及びリソース選択情報を用いて規定している。ここでは、ＳＣＣがＤＴＸの場合に通知される情報が単独で区別できるように設定する。
【００５３】
例えば、ＳＣＣが「ＤＴＸ」の状態である場合に、ＰＣＣの「ＮＡＣＫ」には“１”、「ＡＣＫ」には“−１”の情報ビットを割り当てると共に、Ｃｈ１を選択する（当該情報ビットをＣｈ１にマッピングする）。一方、ＳＣＣが「ＤＴＸ」以外の状態である場合に、ＰＣＣの「ＮＡＣＫ」には“−ｊ”、「ＡＣＫ」には“ｊ”の情報ビットを割り当てて規定する。また、ＰＣＣの状態が「ＤＴＸ」である場合には、ＳＣＣの状態に応じて、“１”の情報ビット（ＳＣＣに少なくとも「ＮＡＣＫ」が含まれる場合）、“−１”（ＳＣＣが「ＡＣＫ」のみである場合）の情報ビットを割り当てるとともに、Ｃｈ２を選択する（当該情報ビットをＣｈ２にマッピングする）。なお、ＰＣＣとＳＣＣの双方が「ＤＴＸ」である場合には、全ての割り当てリソースを“０”とする。
【００５４】
このように、ＰＣＣの３状態「ＤＴＸ」、「ＮＡＣＫ」、「ＡＣＫ」について、ＳＣＣの状態との関係を考慮してそれぞれＱＰＳＫデータ変調によるビット情報及びリソース選択情報を用いて規定し、ＳＣＣがＤＴＸの場合に通知される情報が単独で区別できるように設定することにより、ＰＣＣ及びＳＣＣの再送応答信号の状態をより詳細に規定して通知する構成とすることができる。また、図７（Ａ）に示すようにマッピングテーブルを規定することにより、ＳＣＣがＤＴＸの場合に、ＬＴＥ（Ｒｅｌ．８）のＡＣＫ／ＮＡＣＫ（Ｆｏｒｍａｔ  １ａ）のマッピングテーブル（上記図４（Ａ）参照）と等価とすることができる。これによって、ＰＣＣに対するマッピングテーブルをキャリアアグリゲーションの有無によらず共通化でき、キャリアアグリゲーションの有無を切り替える処理中における通信の瞬断を防ぐことができる。また、図７（Ａ）に示すように、ＰＣＣ又はＳＣＣがＤＴＸの状態である場合の通知情報をそれぞれ他の通知情報と区別して単独で規定することにより、無線基地局装置に対して「ＤＴＸ」状態であることの通知（Explicit  DTX  signaling）が可能となる。
【００５５】
ＰＣＣが２コードワード伝送の場合（図７（Ｂ）参照）は、ＰＣＣの４状態「ＮＡＣＫ、ＮＡＣＫ」、「ＮＡＣＫ、ＡＣＫ」、「ＡＣＫ、ＮＡＣＫ」、「ＡＣＫ、ＡＣＫ」について、ＳＣＣの状態との関係を考慮してそれぞれＱＰＳＫデータ変調によるビット情報及びリソース選択情報を用いて規定する。
【００５６】
具体的には、ＰＣＣの４状態「ＮＡＣＫ、ＮＡＣＫ」、「ＮＡＣＫ、ＡＣＫ」、「ＡＣＫ、ＮＡＣＫ」、「ＡＣＫ、ＡＣＫ」に対して、ＳＣＣが「ＤＴＸ」又は「ＮＡＣＫ」を含む場合には、それぞれ“１”、“−ｊ”、“ｊ”、“−１”を割り当てるとともに、Ｃｈ１を選択する。一方、ＳＣＣが「ＡＣＫ」のみを含む場合には、Ｃｈ２を選択するとともに、ＰＣＣが「ＮＡＣＫ」を含む場合には“−ｊ”、「ＡＣＫ、ＡＣＫ」である場合には“ｊ”を割り当てて規定する。
【００５７】
ＰＣＣが「ＤＴＸ」である場合には、上記図７（Ａ）に示したように、ＳＣＣの状態に応じて“１”の情報ビット（ＳＣＣに少なくとも「ＮＡＣＫ」が含まれる場合）、“−１”（ＳＣＣが「ＡＣＫ」のみである場合）の情報ビットが割り当てられると共に、Ｃｈ２が選択される。そのため、ＰＣＣがランク２の場合であっても、ＰＣＣの「ＤＴＸ」について単独で情報ビットを割り当てることができ、無線基地局装置に対して「ＤＴＸ」状態であることを通知（Explicit  DTX  signaling）することができる。また、図７（Ｂ）に示すようにマッピングテーブルを規定することにより、ＳＣＣがＤＴＸの場合に、ＬＴＥ（Ｒｅｌ．８）のＡＣＫ／ＮＡＣＫ（Ｆｏｒｍａｔ  １ｂ）のマッピングテーブル（上記図４（Ｂ）参照）と等価とすることができる。これによって、ＰＣＣに対するマッピングテーブルをキャリアアグリゲーションの有無によらず共通化でき、キャリアアグリゲーションの有無を切り替える処理中における通信の瞬断を防ぐことができる。
【００５８】
次に、割り当てリソース数が４個の場合のマッピングテーブルの一例を図８に示す。
【００５９】
図８（Ａ）は、ＰＣＣに空間多重の適用がない場合（ランク１）、図８（Ｂ）はＰＣＣに空間多重の適用がある場合（ランク２）のマッピングテーブルの一例を示している。また、図８（Ａ）、（Ｂ）においては、ＳＣＣについて、ランク１とランク２の場合が示されている。
【００６０】
図８（Ａ）において、ＳＣＣが「ＤＴＸ」の状態である場合に、ＰＣＣの「ＮＡＣＫ」には“１”、「ＡＣＫ」には“−１”の情報ビットを割り当てるとともに、Ｃｈ１を選択する。一方、ＳＣＣが「ＤＴＸ」以外の状態である場合に、ＰＣＣの「ＮＡＣＫ」には“−ｊ”、「ＡＣＫ」には“ｊ”の情報ビットを割り当てて規定する。また、ＰＣＣの状態が「ＤＴＸ」である場合には、ＳＣＣの状態に応じて、“１”の情報ビット（ＳＣＣに少なくとも「ＮＡＣＫ」が含まれる場合）、“−１”（ＳＣＣが「ＡＣＫ」のみである場合）の情報ビットを割り当てるとともに、Ｃｈ１以外のＣｈを選択する。なお、ＰＣＣとＳＣＣの双方が「ＤＴＸ」である場合には、全ての割り当てリソースを“０”とする。図８（Ａ）に示すマッピングテーブルを用いることにより、ＰＣＣ又はＳＣＣがＤＴＸの状態である場合の通知情報をそれぞれ他の通知情報と区別して単独でできるため、無線基地局装置に対してＰＣＣ及びＳＣＣの「ＤＴＸ」状態であることを個別に通知（Explicit  DTX  signaling）することが可能となる。
【００６１】
図８（Ｂ）において、ＰＣＣの４状態「ＮＡＣＫ、ＮＡＣＫ」、「ＮＡＣＫ、ＡＣＫ」、「ＡＣＫ、ＮＡＣＫ」、「ＡＣＫ、ＡＣＫ」に対して、ＳＣＣが「ＤＴＸ」又は「ＮＡＣＫ」のみからなる場合には、それぞれ“１”、“−ｊ”、“ｊ”、“−１”を割り当てるとともに、Ｃｈ１を選択する。一方、ＳＣＣが「ＡＣＫ」のみを含む場合には、Ｃｈ２を選択するとともに、ＰＣＣが「ＮＡＣＫ」を含む場合には“−ｊ”、「ＡＣＫ、ＡＣＫ」である場合には“ｊ”を割り当てて規定する。また、ＳＣＣが「ＮＡＣＫ、ＡＣＫ」の場合にはＣｈ３を選択し、ＳＣＣが「ＡＣＫ、ＮＡＣＫ」の場合にはＣｈ４を選択することにより各状態を規定することができる。
【００６２】
図８に示すマッピングテーブルを用いることにより、ＰＣＣ及びＳＣＣの再送応答信号の状態を詳細に規定して通知する構成とすることができる。また、ＳＣＣがＤＴＸの場合に、ＬＴＥ（Ｒｅｌ．８）のＡＣＫ／ＮＡＣＫ（Ｆｏｒｍａｔ  １ａ／１ｂ）のマッピングテーブル（上記図４参照）と等価とすることができる。
【００６３】
なお、上述したマッピングテーブルにおいて、割り当てリソース数が２個又は４個の場合について説明しているが、割り当てリソース数はこれに限られない。また、割当てリソース数は様々な観点から決定することができる。例えば、割当てリソース数の決定方法の一例として、コードワード数に応じて決定することができる。
【００６４】
具体的には、ＰＣＣとＳＣＣの双方が１コードワードである場合に２個のリソースを割当て（割当てリソース数２個）、ＰＣＣとＳＣＣの一方が１コードワード、他方が２コードワードである場合に３個のリソースを割当て（割当てリソース数３個）、ＰＣＣとＳＣＣの双方が２コードワードである場合に４個のリソースを割当てる（割当てリソース数４個）ことができる。このように、コードワード数に応じて割当てるリソース数を決定することにより、割り当てるリソース数を最低限に抑えることができる。
【００６５】
以下に、コードワード数に応じて割当てリソース数が制御されたマッピングテーブルの一例について、図１２〜図１４を参照して説明する。なお、図１２はＰＣＣ及びＳＣＣの双方が１コードワードである場合（割当てリソース数２個）を示し、図１３はＰＣＣとＳＣＣの一方が１コードワード、他方が２コードワードである場合（割当てリソース数３個）を示し、図１４はＰＣＣ及びＳＣＣの双方が２コードワードである場合（割当てリソース数４個）を示している。
【００６６】
図１２〜図１４では、ＳＣＣがＤＴＸの場合にＰＣＣがＬＴＥ（Ｒｅｌ．８）のＡＣＫ／ＮＡＣＫ（Ｆｏｒｍａｔ  １ａ／１ｂ）のマッピングテーブルと等価となるように規定している。また、少なくともＰＣＣが１コードワードの場合に、無線基地局装置に対してＰＣＣが「ＤＴＸ」状態であることが個別に通知（Explicit  DTX  signaling）可能となるように、ＰＣＣの状態及びＳＣＣの状態について、それぞれＱＰＳＫデータ変調によるビット情報及びリソース選択情報を組み合わせて規定している。
【００６７】
ＰＣＣ及びＳＣＣが１コードワード伝送の場合（図１２参照）は、２個のリソースを割当て、ＰＣＣの再送応答信号の状態及びＳＣＣの再送応答信号の状態を、ＱＰＳＫデータ変調によるビット情報とリソース選択情報を用いて規定する。また、ＰＣＣがＤＴＸの場合に通知される情報が単独で区別できるように設定する。
【００６８】
例えば、ＰＣＣが「ＤＴＸ」の状態である場合に、ＳＣＣの「ＮＡＣＫ」には“１”、「ＡＣＫ」には“−１”の情報ビットを割り当てると共に、Ｃｈ２を選択する（当該情報ビットをＣｈ２にマッピングする）。また、ＳＣＣが「ＤＴＸ」又は「ＮＡＣＫ」の状態である場合に、ＰＣＣの「ＮＡＣＫ」には“１”、「ＡＣＫ」には“−１”の情報ビットを割り当てると共に、Ｃｈ１を選択する。このように、ＳＣＣの「ＤＴＸ」又は「ＮＡＣＫ」の状態に対してそれぞれ個別に情報ビットを割当てないで規定することにより個別に通知可能な状態数を低減することができる。また、ＳＣＣが「ＡＣＫ」の状態でありＰＣＣが「ＤＴＸ」でない場合には、“ｊ”の情報ビットを割り当てると共に、ＰＣＣの「ＮＡＣＫ」に対してＣｈ１を選択し、ＰＣＣの「ＡＣＫ」に対してＣｈ２を選択する。なお、ＰＣＣとＳＣＣの双方が「ＤＴＸ」である場合には、全ての割り当てリソースを“０”とする。
【００６９】
図１２に示すようにマッピングテーブルを規定することにより、ＳＣＣがＤＴＸの場合に、ＬＴＥ（Ｒｅｌ．８）のＡＣＫ／ＮＡＣＫ（Ｆｏｒｍａｔ  １ａ）のマッピングテーブル（上記図４（Ａ）参照）と等価とすることができる。また、図１２に示すように、ＰＣＣがＤＴＸの状態である場合の通知情報を他の通知情報と区別して単独で規定することにより、無線基地局装置に対して「ＤＴＸ」状態であることを単独で通知（Explicit  DTX  signaling）することが可能となる。
【００７０】
ＰＣＣとＳＣＣの一方が１コードワード、他方が２コードワードである場合（図１３参照）は、３個のリソースを割当てＰＣＣの再送応答信号の状態及びＳＣＣの再送応答信号の状態を、ＱＰＳＫデータ変調によるビット情報とリソース選択情報を用いて規定する。
【００７１】
例えば、ＰＣＣが２コードワード伝送、ＳＣＣが１コードワード伝送の場合（図１３（Ａ）参照）において、ＰＣＣの４状態「ＮＡＣＫ、ＮＡＣＫ」、「ＮＡＣＫ、ＡＣＫ」、「ＡＣＫ、ＮＡＣＫ」、「ＡＣＫ、ＡＣＫ」に対して、ＳＣＣが「ＤＴＸ」である場合には、それぞれ“１”、“−ｊ”、“ｊ”、“−１”を割り当てるとともに、Ｃｈ１を選択する。これにより、ＳＣＣがＤＴＸの場合に、ＬＴＥ（Ｒｅｌ．８）のＡＣＫ／ＮＡＣＫ（Ｆｏｒｍａｔ  ２ａ）のマッピングテーブル（上記図４（Ｂ）参照）と等価とすることができる。
【００７２】
また、ＰＣＣが「ＤＴＸ」又は「ＮＡＣＫ」の状態である場合に、ＳＣＣの「ＮＡＣＫ」に対して“１”、「ＡＣＫ」に対して“−１”の情報ビットを割り当てると共に、Ｃｈ２を選択する。すなわち、ＰＣＣの「ＤＴＸ」又は「ＮＡＣＫ」の状態に対してはそれぞれ個別に規定せずに通知可能な状態数を低減している。
【００７３】
また、ＰＣＣの「ＮＡＣＫ、ＡＣＫ」、「ＡＣＫ、ＮＡＣＫ」に対して、それぞれ“−ｊ”、“ｊ”を割当てると共に、ＳＣＣの「ＮＡＣＫ」にはＣｈ３を選択し、ＳＣＣの「ＡＣＫ」にはＣｈ２を選択する。また、ＳＣＣが「ＤＴＸ」以外の場合に、ＰＣＣの「ＡＣＫ、ＡＣＫ」に対して、Ｃｈ３を選択すると共に、ＳＣＣの「ＮＡＣＫ」に対して“−１”を割当て、「ＡＣＫ」に対して“１”を割当てる。
【００７４】
ＰＣＣが１コードワード伝送、ＳＣＣが２コードワード伝送の場合（図１３（Ｂ）参照）、ＰＣＣが「ＤＴＸ」の状態である場合に特定のＣｈ（ここでは、Ｃｈ２）を選択し、それ以外のＰＣＣの状態に対しては他のＣｈを選択する。これにより、ＰＣＣがＤＴＸの状態である場合の通知情報を他の通知情報と区別して単独で規定することができる。ここでは、ＰＣＣが「ＤＴＸ」の状態である場合にＣｈ２を選択すると共に、ＳＣＣの３状態「ＮＡＣＫ、ＡＣＫ」、「ＡＣＫ、ＮＡＣＫ」、「ＡＣＫ、ＡＣＫ」に対して、それぞれ“−ｊ”、“ｊ”、“−１”を割り当てる場合を示している。また、ＰＣＣが「ＤＴＸ」の状態であり、ＳＣＣの「ＮＡＣＫ、ＮＡＣＫ」、「ＤＴＸ」である場合には、全ての割り当てリソースを“０”として、当該サブフレームにおいて送信を行わない場合を示している。
【００７５】
また、ＳＣＣが「ＤＴＸ」又は「ＮＡＣＫ」の状態である場合に、ＰＣＣの「ＮＡＣＫ」に対して“１”、「ＡＣＫ」に対して“−１”の情報ビットを割り当てると共に、Ｃｈ１を選択することにより個別に通知可能な状態数を低減している。また、ＳＣＣが「ＮＡＣＫ、ＡＣＫ」、「ＡＣＫ、ＮＡＣＫ」の状態である場合には、それぞれ“−ｊ”、“ｊ”の情報ビットを割り当てると共に、ＰＣＣの「ＮＡＣＫ」に対してＣｈ３を選択し、「ＡＣＫ」に対してＣｈ１を選択する。また、ＳＣＣの「ＡＣＫ、ＡＣＫ」の状態である場合に、Ｃｈ３を選択すると共に、ＰＣＣの「ＮＡＣＫ」に対して“−１”を割当て、「ＡＣＫ」に対して“１”を割当てる。
【００７６】
ＰＣＣ及びＳＣＣの双方が２コードワードである場合（図１４参照）は、４個のリソースを割当て、ＰＣＣの再送応答信号の状態及びＳＣＣの再送応答信号の状態を、ＱＰＳＫデータ変調によるビット情報とリソース選択情報を用いて規定する。
【００７７】
例えば、ＳＣＣが「ＤＴＸ」又は「ＮＡＣＫ」である場合にＣｈ１を選択し、ＰＣＣの４状態「ＮＡＣＫ、ＮＡＣＫ」、「ＮＡＣＫ、ＡＣＫ」、「ＡＣＫ、ＮＡＣＫ」、「ＡＣＫ、ＡＣＫ」に対して、それぞれ“１”、“−ｊ”、“ｊ”、“−１”を割り当てる。これにより、ＳＣＣがＤＴＸの場合に、ＬＴＥ（Ｒｅｌ．８）のＡＣＫ／ＮＡＣＫ（Ｆｏｒｍａｔ  ２ａ）のマッピングテーブル（上記図４（Ｂ）参照）と等価とすることができる。
【００７８】
また、ＳＣＣが「ＤＴＸ」又は「ＮＡＣＫ、ＮＡＣＫ」以外の場合に、ＰＣＣの「ＤＴＸ」、「ＮＡＣＫ、ＮＡＣＫ」に対してＣｈ２を選択すると共に、ＳＣＣの「ＮＡＣＫ、ＡＣＫ」、「ＡＣＫ、ＮＡＣＫ」、「ＡＣＫ、ＡＣＫ」に対して、それぞれ“−ｊ”、“ｊ”、“−１”を割当てることにより個別に通知可能な状態数を低減している。
【００７９】
また、ＳＣＣが「ＡＣＫ、ＡＣＫ」以外の場合に、ＰＣＣの「ＮＡＣＫ、ＡＣＫ」、「ＡＣＫ、ＮＡＣＫ」、「ＡＣＫ、ＡＣＫ」に対して、それぞれ“−ｊ”、“ｊ”、“−１”を割当てると共に、ＳＣＣが「ＮＡＣＫ、ＡＣＫ」の場合にはＣｈ３を選択し、ＳＣＣが「ＡＣＫ、ＮＡＣＫ」の場合にはＣｈ４を選択する。また、ＰＣＣが「ＤＴＸ」又は「ＮＡＣＫ、ＮＡＣＫ」以外の場合に、ＳＣＣの「ＡＣＫ、ＡＣＫ」に対して、“１”を割当て、ＰＣＣの「ＮＡＣＫ、ＡＣＫ」に対してＣｈ４を選択し、ＰＣＣの「ＡＣＫ、ＮＡＣＫ」に対してＣｈ３を選択し、ＰＣＣの「ＡＣＫ、ＡＣＫ」に対してＣｈ２を選択する。
【００８０】
なお、図１２〜図１４で示したマッピングテーブルは一例であり、本願発明において適用可能なマッピングテーブルはこれに限られない。また、コードワード数と割当てリソース数の関係はこれに限られず、例えば、ＰＣＣとＳＣＣの双方が１コードワードである場合に４個のリソースを割当ててもよいし（図６参照）、ＰＣＣとＳＣＣの一方が１コードワード、他方が２コードワードである場合に２個又は４個のリソースを割当ててもよいし（図７、図８参照）。
【００８１】
以下に、上記実施の形態で示した無線通信方法を適用する移動端末装置及び無線基地局装置等の構成について説明する。ここでは、ＬＴＥ−Ａ方式のシステム（ＬＴＥ−Ａシステム）に対応する無線基地局装置及び移動端末装置を用いる場合について説明する。
【００８２】
まず、図９を参照しながら、移動端末装置１００及び無線基地局装置２００を有する移動通信システム１０について説明する。図９は、本発明の一実施の形態に係る移動端末装置１００及び無線基地局装置２００を有する移動通信システム１０の構成を説明するための図である。なお、図９に示す移動通信システム１０は、例えば、ＬＴＥシステムが包含されるシステムである。また、この移動通信システム１０は、ＩＭＴ−Ａｄｖａｎｃｅｄと呼ばれても良いし、４Ｇと呼ばれても良い。
【００８３】
図９に示すように、移動通信システム１０は、無線基地局装置２００と、この無線基地局装置２００と通信する複数の移動端末装置１００（１００１、１００２、１００３、・・・１００ｎ、ｎはｎ＞０の整数）とを含んで構成されている。無線基地局装置２００は、コアネットワーク４０と接続される。移動端末装置１００は、セル５０において無線基地局装置２００と通信を行っている。なお、コアネットワーク４０には、例えば、アクセスゲートウェイ装置、無線ネットワークコントローラ（ＲＮＣ）、モビリティマネジメントエンティティ（ＭＭＥ）等が含まれるが、これに限定されるものではない。
【００８４】
移動通信システム１０においては、無線アクセス方式として、下りリンクについてはＯＦＤＭＡが、上りリンクについてはＳＣ−ＦＤＭＡが適用される。
【００８５】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、端末毎に連続した帯域にデータをマッピングして通信を行うシングルキャリア伝送方式であり、複数の端末が互いに異なる帯域を用いることで、マルチアクセスを実現する。
【００８６】
ここで、ＬＴＥシステムにおける通信チャネルについて説明する。下りリンクについては、各移動端末装置１００のトラヒックデータを伝送するＰＤＳＣＨ、および各移動端末装置にＰＤＳＣＨにおけるＲＢの割り当て情報、データ変調方式・チャネル符号化率、再送関連情報等のＬ１／Ｌ２制御情報を通知するＰＤＣＣＨ等が用いられる。また、チャネル推定、受信品質測定等に用いられる参照信号がこれらのチャネルと共に送信される。
【００８７】
上りリンクについては、各移動端末装置１００のトラヒックデータを伝送するＰＵＳＣＨ、および下り周波数スケジューリングのためのチャネル品質情報（ＣＱＩ）報告、下り送信データに対するＡＣＫ／ＮＡＣＫ等のＬ１／Ｌ２制御情報を伝送するＰＵＣＣＨ等が用いられる。また、チャネル推定に用いられる復調用参照信号やチャネル品質測定に用いられるチャネル品質測定用参照信号がこれらのチャネルと共に送信される。
【００８８】
次に、図１０を参照して、上述したマッピングテーブルを用いて、上りリンク制御情報の送信を行う移動端末装置の機能構成について説明する。
【００８９】
以下の説明においては、移動端末装置から上りリンクで上りリンク制御情報が送信される場合に、ＣＡＺＡＣ符号系列の巡回シフトを用いて複数ユーザ間を直交多重し、フィードバック制御情報である再送応答信号を送信する場合について説明する。なお、以下の説明においては、２個のＣＣから受信した下りリンク共有チャネルに対する再送応答信号を規定して送信する場合を示すが、ＣＣの数やフィードバック制御情報はこれに限定されない。
【００９０】
図１０に示す移動端末装置は、送信部と、受信部とを備えている。受信部は、ＯＦＤＭ信号を復調するＯＦＤＭ信号復調部１４０１と、下りリンク信号に基づいてＡＣＫ／ＮＡＣＫ／ＤＴＸを判定するＡＣＫ／ＮＡＣＫ／ＤＴＸ判定部１４０２とを有している。送信部は、制御情報送信チャネル選択部１２０１と、上りリンク共有チャネル（ＰＵＳＣＨ）処理部１０００と、上りリンク制御チャネル（ＰＵＣＣＨ）処理部１１００と、ＳＲＳ処理部１３００と、チャネル多重部１２０２と、ＩＦＦＴ部１２０３と、ＣＰ付与部１２０４とを有している。
【００９１】
ＯＦＤＭ信号復調部１４０１は、下りＯＦＤＭ信号を受信し復調する。すなわち、下りＯＦＤＭ信号からＣＰを除去し、高速フーリエ変換し、ＢＣＨ信号あるいは下り制御信号が割り当てられたサブキャリアを取り出し、データ復調する。複数のＣＣから下りＯＦＤＭ信号を受信した場合には、ＣＣ毎にデータ復調する。ＯＦＤＭ信号復調部１４０１は、データ復調後の下り信号をＡＣＫ／ＮＡＣＫ／ＤＴＸ判定部１４０２に出力する。
【００９２】
ＡＣＫ／ＮＡＣＫ／ＤＴＸ判定部１４０２は、受信した下りリンク共有チャネル信号（ＰＤＳＣＨ信号）が誤りなく受信できたか否かを判定し、下りリンク共有チャネル信号が誤りなく受信できていればＡＣＫ、誤りが検出されればＮＡＣＫ、下りリンク共有チャネル信号が検出されなければＤＴＸの各状態を判定結果として出力する。無線基地局装置との通信に複数ＣＣが割り当てられている場合は、ＣＣ毎に下りリンク共有チャネル信号が誤りなく受信できたか否かを判定する。また、ＡＣＫ／ＮＡＣＫ／ＤＴＸ判定部１４０２は、コードワード毎に上記３状態を判定する。２コードワード伝送時はコードワード毎に上記３状態を判定する。ＡＣＫ／ＮＡＣＫ／ＤＴＸ判定部１４０２は、判定結果を送信部（ここでは、制御情報送信チャネル選択部１２０１）に出力する。
【００９３】
制御情報送信チャネル選択部１２０１は、フィードバック制御情報である再送応答信号を送信するチャネルを選択する。具体的には、上りリンク共有チャネル（ＰＵＳＣＨ）に含めて送信するか、上りリンク制御チャネル（ＰＵＣＣＨ）で送信するかを決定する。例えば、送信時のサブフレームにおいて、ＰＵＳＣＨ信号がある場合には、上りリンク共有チャネル処理部１０００に出力し、ＰＵＳＣＨに再送応答信号をマッピングして送信する。一方、当該サブフレームにおいて、ＰＵＳＣＨ信号がある場合には、上りリンク制御チャネル処理部１１００に出力し、ＰＵＣＣＨに再送応答信号をマッピングして送信する。
【００９４】
上りリンク共有チャネル処理部１０００は、ＡＣＫ／ＮＡＣＫ／ＤＴＸ判定部１４０２の判定結果に基づいて、再送応答信号のビットを決定する制御情報ビット決定部１００６と、ＡＣＫ／ＮＡＣＫビット系列を誤り訂正符号化するチャネル符号化部１００７、送信すべきデータ系列を誤り訂正符号化するチャネル符号化部１００１と、符号化後のデータ信号をデータ変調するデータ変調部１００２、１００８と、変調されたデータ信号と再送応答信号を時間多重する時間多重部１００３と、時間多重した信号にＤＦＴ（Discrete  Fourier  Transform）するＤＦＴ部１００４と、ＤＦＴ後の信号をサブキャリアにマッピングするサブキャリアマッピング部１００５とを有している。
【００９５】
上りリンク制御チャネル処理部１１００は、再送応答信号の送信に用いる割り当てリソース及び割り当て情報を制御するチャネル選択制御部１１０１と、ＰＳＫデータ変調を行うＰＳＫデータ変調部１１０２と、ＰＳＫデータ変調部１１０２で変調されたデータに巡回シフトを付与する巡回シフト部１１０３と、巡回シフト後の信号にブロック拡散符号でブロック拡散するブロック拡散部１１０４と、ブロック拡散後の信号をサブキャリアにマッピングするサブキャリアマッピング部１１０５とを有している。
【００９６】
チャネル選択制御部１１０１は、マッピングテーブルに基づいて、再送応答信号をマッピングするリソースの選択等を制御する。具体的には、上記図５〜図８、図１２〜図１４等で示したマッピングテーブルと、ＡＣＫ／ＮＡＣＫ／ＤＴＸ判定部１４０２の判定結果に基づいて、ビット情報をマッピングするリソースを選択し、ＰＳＫデータ変調部１１０２、巡回シフト部１１０３、ブロック拡散部１１０４及びサブキャリアマッピング部１１０５に通知する。
【００９７】
例えば、ＰＣＣ及びＳＣＣが１コードワード、割り当てリソース数が２個、ＰＣＣの状態が「ＮＡＣＫ」、ＳＣＣの状態が「ＡＣＫ」、移動端末装置が図５（Ａ）のマッピングテーブルを具備している場合には、チャネル選択制御部１１０１は、ビット情報“１”をＣｈ２にマッピングすることを通知する。なお、移動端末装置は、マッピングテーブルを複数有し、複数のマッピングテーブルを所定の条件に応じて使い分ける構成としてもよい。
【００９８】
また、割り当てリソース数の決定方法は特に限定されず、あらかじめ設定しておく方法、ＡＣＫ／ＮＡＣＫ／ＤＴＸ判定部１４０２の判定結果に基づいて移動端末装置が選択する方法又は無線通信装置からの通知により決定する方法等を用いることができる。割り当てリソース数の決定方法の一例としては、上述したようにコードワード数に応じて決定することができる。例えば、ＰＣＣとＳＣＣの双方が１コードワードである場合に２個のリソースを割当て、ＰＣＣとＳＣＣの一方が１コードワード、他方が２コードワードである場合に３個のリソースを割当て、ＰＣＣとＳＣＣの双方が２コードワードである場合に４個のリソースを割当てることができる。
【００９９】
ＰＳＫデータ変調部１１０２は、マッピングテーブルに基づいてチャネル選択制御部１１０１から通知された情報に基づいて、位相偏移変調（ＰＳＫデータ変調）を行う。例えば、ＰＳＫデータ変調部１１０２において、ＱＰＳＫデータ変調による２ビットのビット情報に変調する。
【０１００】
巡回シフト部１１０３は、ＣＡＺＡＣ（Constant  Amplitude  Zero  Auto  Correlation）符号系列の巡回シフトを用いて直交多重を行う。具体的には、時間領域の信号を所定の巡回シフト量だけシフトする。なお、巡回シフト量はユーザ毎に異なり、巡回シフト番号に対応づけられている。巡回シフト部１１０３は、巡回シフト後の信号をブロック拡散部１１０４に出力する。ブロック拡散部（直交符号乗算手段）１１０４は、巡回シフト後の参照信号に直交符号を乗算する（ブロック拡散する）。ここで、参照信号に用いるＯＣＣ（ブロック拡散符号番号）については、上位レイヤからＲＲＣシグナリングなどで通知しても良く、データシンボルのＣＳに予め関連付けられたＯＣＣを用いても良い。ブロック拡散部１１０４は、ブロック拡散後の信号をサブキャリアマッピング部１１０５に出力する。
【０１０１】
サブキャリアマッピング部１１０５は、チャネル選択制御部１１０１から通知された情報に基づいて、ブロック拡散後の信号をサブキャリアにマッピングする。また、サブキャリアマッピング部１１０５は、マッピングされた信号をチャネル多重部１２０２に出力する。
【０１０２】
ＳＲＳ処理部１３００は、ＳＲＳ信号（Sounding  RS）を生成するＳＲＳ信号生成部１３０１と、生成されたＳＲＳ信号をサブキャリアにマッピングするサブキャリアマッピング１３０２とを有している。サブキャリアマッピング１３０２は、マッピングされた信号をチャネル多重部１２０２に出力する。
【０１０３】
チャネル多重部１２０２は、上りリンク共有チャネル処理部１０００又は上りリンク制御チャネル処理部１１００からの信号と、ＳＲＳ信号処理部１３００からの参照信号を時間多重して、上り制御チャネル信号を含む送信信号とする。
【０１０４】
ＩＦＦＴ部１２０３は、チャネル多重された信号をＩＦＦＴして時間領域の信号に変換する。ＩＦＦＴ部１２０３は、ＩＦＦＴ後の信号をＣＰ付与部１２０４に出力する。ＣＰ付与部１２０４は、直交符号乗算後の信号にＣＰを付与する。そして、特定のＣＣの上りリンクのチャネルを用いて上り送信信号が無線通信装置に対して送信される。
【０１０５】
次に、図１１を参照して、上記図１０に示した移動端末装置から送信された上りリンク制御情報を受信する無線基地局装置の機能構成について説明する。
【０１０６】
図１１に示す移動端末装置は、送信部と、受信部とを備えている。送信部は、複数のＣＣ毎にＯＦＤＭ信号を生成するＯＦＤＭ信号生成部２４０１を有している。ＯＦＤＭ信号生成部２４０１は、他の下りリンクチャネル信号及び上りリソース割り当て情報信号を含む下り信号をサブキャリアにマッピングし、逆高速フーリエ変換（ＩＦＦＴ）し、ＣＰを付加することにより、下り送信信号を生成する。
【０１０７】
受信部は、受信信号からＣＰを除去するＣＰ除去部２２０４と、受信信号を高速フーリエ変換（ＦＦＴ）するＦＦＴ部２２０３と、多重された信号（ＰＵＳＣＨ信号、ＰＵＣＣＨ信号、ＳＲＳ信号）を分離するチャネル分離部２２０２と、チャネル分離後の信号を処理する、上りリンク共有チャネル（ＰＵＳＣＨ）受信部２０００、上りリンク制御チャネル（ＰＵＣＣＨ）受信部２１００、ＳＲＳ信号受信部２３００を有している。
【０１０８】
上りリンク共有チャネル受信部２０００は、チャネル分離後の信号をデマッピングするサブキャリアデマッピング部２００５と、サブキャリアデマッピング後の信号に対してＩＤＦＴ(Inverse  Discrete  Fourier  Transform)するＩＤＦＴ部２００４と、ＩＤＦＴされたデータ信号、制御信号を分離する制御情報分離部２００３と、分離されたデータ信号、制御信号をそれぞれ復調するデータ復調部２００２、２００７と、データ復調後の信号をチャネル復号するチャネル復号部２００１、２００６とを有している。
【０１０９】
上りリンク制御チャネル受信部２１００は、チャネル分離後の信号をデマッピングするサブキャリアデマッピング部２１０４と、サブキャリアデマッピング後の信号に対してブロック拡散符号（ＯＣＣ）で逆拡散する逆ブロック拡散部２１０３と、逆拡散後に信号から巡回シフトを除去して対象とするユーザの信号を分離する巡回シフト分離部２１０２と、マッピングテーブルに基づいてリソース候補情報を制御するチャネル選択データ検出部２１０１とを有している。
【０１１０】
チャネル選択データ検出部２１０１は、マッピングテーブルに基づいて、再送応答信号の候補情報をサブキャリアデマッピング部２１０４、逆ブロック拡散部２１０３、巡回シフト分離部２１０２に通知するとともに、各ＣＣの再送応答情報を検出する。基地局装置のマッピングテーブルは、移動端末装置のマッピングテーブルと共通であればよい。
【０１１１】
制御情報送信チャネル選択部２２０１は、フィードバック制御情報である再送応答信号の送信に使用されたチャネルを検出し、上りリンク共有チャネル受信部２０００又は上りリンク制御チャネル受信部２１００からの出力の切り替えを制御する。再送応答信号がＰＵＳＣＨに含めて送信された場合には、上りリンク共有チャネル受信部２０００から出力された情報を再送応答信号として出力する。また、再送応答信号がＰＵＣＣＨで送信された場合、上りリンク制御チャネル受信部２１００から出力された情報を再送応答信号として出力する。
【０１１２】
ＳＲＳ信号受信部２３００は、チャネル分離後のＳＲＳ信号をデマッピングするサブキャリアデマッピング部２３０２と、サブキャリアデマッピング後のＳＲＳ信号の受信品質を測定するＳＲＳ受信品質測定部２３０１とを有している。
【０１１３】
本発明の範囲を逸脱しない限りにおいて、上記説明における処理部の数、処理手順については適宜変更して実施することが可能である。また、図に示される要素の各々は機能を示しており、各機能ブロックがハードウエアで実現されても良く、ソフトウエアで実現されてもよい。その他、本発明の範囲を逸脱しないで適宜変更して実施することが可能である。
【符号の説明】
【０１１４】
１  移動通信システム
４０  コアネットワーク
５０  セル
１００  移動端末装置
２００  無線基地局装置
１０００  上りリンク共有チャネル処理部
１００１  チャネル符号化部
１００２、１００８  データ変調部
１００３  時間多重部
１００４  ＤＦＴ部
１００５  サブキャリアマッピング部
１００６  制御情報ビット決定部
１１００  上りリンク制御チャネル処理部
１１０１  チャネル選択制御部
１１０２  ＰＳＫデータ変調部
１１０３  巡回シフト部
１１０４  ブロック拡散部
１１０５  サブキャリアマッピング部
１２０１  制御情報送信チャネル選択部
１２０２  チャネル多重部
１２０３  ＩＦＦＴ部
１２０４  ＣＰ付与部
１３００  ＳＲＳ信号処理部
１４０１  ＯＦＤＭ信号復調部
１４０２  ＡＣＫ／ＮＡＣＫ／ＤＴＸ判定部
２０００  上りリンク共有チャネル受信部
２００１、２００６  チャネル復号部
２００２、２００７  データ復調部
２００３  制御情報分離部
２００４  ＩＤＦＴ部
２００５  サブキャリアデマッピング部
２１００  上りリンク制御チャネル受信部
２１０１  チャネル選択データ検出部
２１０２  巡回シフト分離部
２１０３  逆ブロック拡散部
２１０４  サブキャリアデマッピング部
２２０１  制御情報送信チャネル選択部
２２０２  チャネル分離部
２２０３  ＦＦＴ部
２２０４  ＣＰ除去部
２３００  ＳＲＳ信号受信部
２４０１  ＯＦＤＭ信号生成部
【図１】
0005478645.tif 000002
【図２】
0005478645.tif 000003
【図３】
0005478645.tif 000004
【図４】
0005478645.tif 000005
【図５】
0005478645.tif 000006
【図６】
0005478645.tif 000007
【図７】
0005478645.tif 000008
【図８】
0005478645.tif 000009
【図９】
0005478645.tif 000010
【図１０】
0005478645.tif 000011
【図１１】
0005478645.tif 000012
【図１２】
0005478645.tif 000013
【図１３】
0005478645.tif 000014
【図１４】
0005478645.tif 000015